(57)【要約】  本発明は、ステレオスコピック映像に関するデータを伝送する方法、およびステレオスコピック映像を再生する方法に関するもので、ステレオスコピック静止映像を利用して多様な場面を表現することができるステレオスコピック映像を提供する。このために本発明によるステレオスコピック映像データの伝送方法は、ステレオスコピック静止映像に関するデータを予め設定されたファイルフォーマットで生成するステップと、ファイルフォーマットで生成されたデータを伝送するステップとを含み、ファイルフォーマットが、ステレオスコピック映像を構成するステレオスコピック静止映像を含むメディア情報部と、ステレオスコピック静止映像の再生を制御する制御情報と、ステレオスコピック静止映像がステレオスコピック映像を構成する形態を指示する映像構成情報とを含むヘッダ情報部を含む。
2012513148.tif 000002
【特許請求の範囲】
【請求項１】
ステレオスコピック静止映像に関するデータを予め設定されたファイルフォーマットで生成するステップと、
前記ファイルフォーマットで生成されたデータを伝送するステップを含み、
前記ファイルフォーマットが、
前記ステレオスコピック静止映像を含むメディア情報部、および前記ステレオスコピック静止映像の再生を制御する制御情報と、前記ステレオスコピック静止映像がステレオスコピック映像を構成する形態を指示する映像構成情報を含むヘッダ（ｈｅａｄｅｒ）情報部と、
を含むことを特徴とするステレオスコピック映像データの伝送方法。
【請求項２】
前記ファイルフォーマットが、前記ステレオスコピック映像が提供される形態またはファイルの種類を指示する映像タイプ（ｔｙｐｅ）情報を含むことを特徴とする請求項１に記載のステレオスコピック映像データの伝送方法。
【請求項３】
前記制御情報が、前記映像構成情報を含むことを特徴とする請求項１に記載のステレオスコピック映像データの伝送方法。
【請求項４】
前記メディア情報部が、
前記ステレオスコピック映像の一場面を構成する複数のステレオスコピック静止映像を含み、
前記映像構成情報は、
前記複数のステレオスコピック静止映像が前記ステレオスコピック映像を構成する形態を指示することを特徴とする請求項１に記載のステレオスコピック映像データの伝送方法。
【請求項５】
前記制御情報が、前記制御情報に対する識別情報を含み、
前記ヘッダ情報部が、前記識別情報の目録を含むことを特徴とする請求項１に記載のステレオスコピック映像データの伝送方法。
【請求項６】
前記ステレオスコピック映像が、メイン映像と付加映像で構成される場合、
前記制御情報が、
前記ステレオスコピック静止映像が前記メイン映像なのかまたは前記付加映像なのか否かを表す参照情報を含むことを特徴とする請求項１に記載のステレオスコピック映像データの伝送方法。
【請求項７】
前記ヘッダ情報部は、
前記ステレオスコピック静止映像の再生が開始する時点または終了する時点に対する時間情報を含むことを特徴とする請求項１に記載のステレオスコピック映像データの伝送方法。
【請求項８】
前記ヘッダ情報部は、
前記ステレオスコピック静止映像が３次元で表示される方式に対する情報を含むことを特徴とする請求項１に記載のステレオスコピック映像データの伝送方法。
【請求項９】
ステレオスコピック静止映像を含むメディア情報部、および制御情報と映像構成情報を含むヘッダ（ｈｅａｄｅｒ）情報部を含むファイルフォーマットで生成されたデータを受信するステップと、
前記映像構成情報に応じて前記ステレオスコピック静止映像からステレオスコピック映像を構成するステップと、
前記制御情報に応じて前記ステレオスコピック映像を再生するステップと、
を含むことを特徴とするステレオスコピック映像の再生方法。
【請求項１０】
前記ステレオスコピック映像が提供される形態またはファイルの種類を指示する映像タイプ（ｔｙｐｅ）情報を確認するステップをさらに含むことを特徴とする請求項９に記載のステレオスコピック映像の再生方法。
【請求項１１】
前記映像構成情報が、前記制御情報に含まれることを特徴とする請求項９に記載のステレオスコピック映像の再生方法。
【請求項１２】
前記映像構成情報が、
前記ステレオスコピック映像の一場面を構成する複数のステレオスコピック静止映像に対する映像構成情報であることを特徴とする請求項９に記載のステレオスコピック映像の再生方法。
【請求項１３】
前記映像構成情報の有無を確認するステップをさらに含むことを特徴とする請求項９に記載のステレオスコピック映像の再生方法。
【請求項１４】
前記ヘッダ情報部に含まれた識別情報目録で前記制御情報の識別情報を問い合わせるステップをさらに含むことを特徴とする請求項９に記載のステレオスコピック映像の再生方法。
【請求項１５】
前記構成するステップは、
前記ステレオスコピック静止映像が前記メイン映像なのかまたは前記付加映像なのかどうかを表す参照情報を確認するステップを含むことを特徴とする請求項９に記載のステレオスコピック映像の再生方法。
【請求項１６】
前記再生するステップは、
前記ステレオスコピック静止映像の再生が開始する時点または終了する時点に対する時間情報を確認するステップを含むことを特徴とする請求項９に記載のステレオスコピック映像の再生方法。
【請求項１７】
前記再生するステップは、
前記ステレオスコピック静止映像が３次元で表示される方式に対する情報を確認するステップを含むことを特徴とする請求項９に記載のステレオスコピック映像の再生方法。
【請求項１８】
前記構成するステップが、
前記ステレオスコピック静止映像を２次元ビデオまたはオーディオに連動するステップを含むことを特徴とする請求項９に記載のステレオスコピック映像の再生方法。
【請求項１９】
ステレオスコピック静止映像を含むメディア情報部を生成するステップと、
前記ステレオスコピック静止映像の再生を制御する制御情報と前記ステレオスコピック静止映像がステレオスコピック映像を構成する形態を指示する映像構成情報を含むヘッダ情報部を生成するステップと、
前記メディア情報部および前記ヘッダ情報部を含むファイルフォーマットを生成するステップと、
を含むことを特徴とするステレオスコピック映像データのファイル生成方法。
【請求項２０】
前記ファイルフォーマットは、
前記ステレオスコピック映像が提供されるファイルの種類または形態を指示する映像タイプ（ｔｙｐｅ）情報を含むことを特徴とする請求項１９に記載のステレオスコピック映像データのファイル生成方法。
【発明の詳細な説明】
【技術分野】
【０００１】
本発明は、ステレオスコピック映像に関するもので、より詳細に、ステレオスコピック映像に関するデータを伝送する方法、およびステレオスコピック映像を再生する方法に関するものである。
【０００２】
本発明は知識経済部のＩＴ基礎固有技術開発事業の一環として行われた研究かから導出されたものである［課題管理番号：２００６−Ｆ−０１１−０１、課題名：次世代ＤＴＶ核心技術開発（標準化連係）］。
【背景技術】
【０００３】
最近ステレオスコピック映像を利用して３次元映像を提供する技術が開発されている。ステレオスコピック映像は、遠近感と実在感を感じることができるように３次元表示装置を介して再生する。３次元表示装置は、ユーザの両方の目に互いに異なる２次元映像が表示されるようにしたり、互いに異なる２次元映像を交互に表示するなどの方法でステレオスコピック映像を再生する。
【０００４】
従来のステレオスコピック映像サービスは単純なステレオスコピック静止映像またはステレオスコピックビデオに焦点が合わせられている。単純なステレオスコピック静止映像は、３次元で再生するワンカットの映像（例えば、３次元写真、３次元スライドなど）である。ステレオスコピックビデオは、ステレオスコピックフレームが複数連結して３次元で再生する映像を示す。
【０００５】
ステレオスコピックビデオが、映像内でモーションを表現しようとするならば、ステレオスコピックビデオを構成するすべてのステレオスコピックフレームにモーションが記録されていなければならない。そのため、ステレオスコピックビデオを提供するためには多くのデータ量が要求されるという短所がある。したがって、ステレオスコピック映像を提供するにおいて、少ないデータ量で多様な場面を表現することができる技術が要求される。
【発明の概要】
【発明が解決しようとする課題】
【０００６】
したがって、本発明は前述した問題を解決するためのものであって、ステレオスコピック静止映像を利用して多様な場面を表現することができるステレオスコピック映像を提供する。
【０００７】
また、本発明は、ステレオスコピック映像を伝送または再生するにおいて要求されるデータ量を最小化することを他の目的とする。
【０００８】
本発明の目的は、以上で言及した目的で限定されず、言及されなかった本発明の他の目的および長所は、下記の説明によって理解することができ、本発明の実施形態によって、一層明らかに理解されるだろう。また、本発明の目的および長所は、特許請求の範囲に示した手段およびその組み合わせによって実現される可能性があることが簡単に分かるだろう。
【課題を解決するための手段】
【０００９】
前述したような課題を解決するための本発明の一実施形態によるステレオスコピック映像データの伝送方法が、ステレオスコピック静止映像に関するデータを予め設定されたファイルフォーマットで生成するステップと、ファイルフォーマットで生成されたデータを伝送するステップを含み、ファイルフォーマットが、ステレオスコピック静止映像を含むメディア情報部と、ステレオスコピック静止映像の再生を制御する制御情報と、ステレオスコピック静止映像がステレオスコピック映像を構成する形態を指示する映像構成情報を含むヘッダ情報部とを含む。
【００１０】
また、本発明の他の実施形態によるステレオスコピック映像の再生方法が、ステレオスコピック静止映像を含むメディア情報部と、制御情報と映像構成情報を含むヘッダ情報部とを含むファイルフォーマットで生成されたデータを受信するステップと、映像構成情報に応じてステレオスコピック静止映像からステレオスコピック映像を構成するステップと、制御情報によりステレオスコピック映像を再生するステップとを含む。
【００１１】
また、本発明のまた他の実施形態によるステレオスコピック映像データのファイル生成方法は、ステレオスコピック静止映像を含むメディア情報部を生成するステップと、ステレオスコピック静止映像の再生を制御する制御情報とステレオスコピック静止映像がステレオスコピック映像を構成する形態を指示する映像構成情報とを含むヘッダ情報部を生成するステップと、メディア情報部およびヘッダ情報部を含むファイルフォーマットを生成するステップとを含む。
【発明の効果】
【００１２】
前述したような本発明によれば、ステレオスコピック静止映像を利用して多様な場面を表現できるステレオスコピック映像を提供することができる。
【００１３】
本発明によれば、ステレオスコピック映像を伝送または再生するにおいて要求されるデータ量を最小化できるという効果がある。
【図面の簡単な説明】
【００１４】
【図１】本発明の一実施形態によるステレオスコピック映像データの伝送方法を説明するフローチャートである。
【図２】本発明の一実施形態によるファイルフォーマット２００の構造図である。
【図３】本発明の他の実施形態によるファイルフォーマット３００の構造図である。
【図４】本発明の一実施形態によるステレオスコピック映像の再生方法を説明するフローチャートである。
【図５】従来技術により２次元映像を提供するためのファイルフォーマット５００の構造図である。
【図６】本発明の一実施形態によるファイルフォーマット６００の構造図である。
【図７】本発明の一実施形態によるファイルフォーマット７００の構造図である。
【図８】本発明の一実施形態によるファイルフォーマット８００の構造図である。
【図９】本発明の一実施形態によるステレオスコピック映像の再生を説明する図である。
【図１０】本発明の一実施形態によるステレオスコピック映像の再生を説明する図である。
【図１１】本発明の一実施形態によるファイルフォーマット１０００の構造図である。
【発明を実施するための形態】
【００１５】
以下の内容は単に本発明の原理を例示する。そのため、当業者はたとえ本明細書に明確な説明や、図示がなくとも、本発明の原理を具現して本発明の概念と範囲に含まれた多様な装置を発明できるものである。また、本明細書に列挙されたすべての条件付き用語および実施形態は、原則的に、本発明の概念が理解されるようにするための目的にのみ明確に意図され、これと共に特別に列挙された実施形態および状態に制限的でないものと理解されなければならない。
【００１６】
また、本発明の原理、観点および実施形態だけでなく特定実施形態を列挙するすべての詳細な説明は、このような事項の構造的および機能的均等物を含むように意図されるものと理解されなければならない。またこのような均等物は現在公知された均等物だけでなく将来に開発される均等物すなわち構造と関係がなく同一の機能を行うように発明されたすべての素子を含むものと理解されなければならない。
【００１７】
したがって、例えば、本明細書のブロック図は、本発明の原理を具体化する例示的な回路の概念的な観点を表すものとして理解されなければならない。これと類似するように、すべてのフローチャート、状態変換図、擬似コードなどはコンピュータが読み取り可能な媒体に実質的に表すことができ、コンピュータまたはプロセッサが明確に図示されたのか否かを問わずコンピュータまたはプロセッサによって行われる多様なプロセスを表すものとして理解されなければならない。
【００１８】
プロセッサまたはこれと類似した概念で表示された機能ブロックを含む図面に図示された多様な素子の機能は、専用ハードウェアだけでなく適切なソフトウェアと関連してソフトウェアを実行する能力を有したハードウェアの使用に提供することもできる。プロセッサによって提供される時、前記機能は単一専用プロセッサ、単一共有プロセッサまたは複数の個別的プロセッサによって提供可能であり、これらの中の一部は共有することもできる。
【００１９】
またプロセッサ、制御またはこれと類似した概念で提示される用語の明確な使用は、ソフトウェアを実行する能力を有したハードウェアを排他的に引用して解釈されてはならず、制限なくデジタル信号プロセッサ（ＤＳＰ）ハードウェア、ソフトウェアを保存するためのロム（ＲＯＭ）、ラム（ＲＡＭ）および不揮発性メモリを暗示的に含むものと理解されなければならない。周知慣用の他のハードウェアも含みうる。
【００２０】
本明細書の請求範囲で、詳細な説明に記載された機能を行うための手段として表現された構成要素は、例えば前記機能を行う回路素子の組み合わせまたはファームウェア／マイクロコードなどを含むすべての形式のソフトウェアを含む機能を行うすべての方法を含むものと意図され、前記機能を行うように前記ソフトウェアを実行するための適切な回路と結合される。このような請求範囲によって定義される本発明は多様に列挙された手段によって提供される機能が結合され請求項が要求する方式と結合されるため前記機能を提供できるいかなる手段も本明細書から把握されるものと均等なものとして理解されなければならない。
【００２１】
前述した目的、特徴および長所は添付された図面と関連した以下の詳細な説明を通して、より明確になるものであり、それによって本発明が属する技術分野で通常の知識を有する者が本発明の技術的思想を容易に実施できるであろう。また、本発明を説明するにおいて本発明と関連した公知技術に対する具体的な説明が本発明の要旨を不必要に濁すこともあると判断される場合にその詳細な説明を省略することにする。以下、添付された図面を参照して本発明による好ましい一実施形態を詳細に説明する。
【００２２】
本発明ではメディア情報部およびヘッダ（ｈｅａｄｅｒ）情報部を含むファイルフォーマットを利用してステレオスコピック（ｓｔｅｒｅｏｓｃｏｐｉｃ）映像を提供する。この時、メディア情報部はステレオスコピック静止映像を含む。
【００２３】
ここで、ステレオスコピック静止映像は、ステレオスコピック映像の多様な場面を表現するために使用することもできる。例えば、ステレオスコピック静止映像を２次元ビデオと連動して再生する場合、ステレオスコピック静止映像によって表現される特定オブジェクトのみを３次元で再生することができる。また、この時、複数のステレオスコピック静止映像を利用すると、各ステレオスコピック静止映像によって表現されるオブジェクトが一場面で各々３次元で再生することができる。
【００２４】
したがって、ビデオまたはオーディオ連動型ステレオスコピック静止映像を利用すると、ステレオスコピックビデオまたは単純なステレオスコピック静止映像より多様な場面の構成が可能である。また、特定場面に同期化されたステレオスコピック静止映像を再生することによって連動された場面の効果を一層極大化することができる。３次元で表現しようとするオブジェクトに対するデータのみステレオスコピック静止映像に含めることができるため、少ないデータ量でステレオスコピック映像を提供することができる。また、ユーザがステレオスコピック映像を鑑賞する時に発生する視覚的な疲労度を減少させることができる。
【００２５】
本発明ではステレオスコピック静止映像の再生を制御する制御情報と、ステレオスコピック静止映像がステレオスコピック映像を構成する形態に対する映像構成情報によって多様な場面構成が可能になる。
【００２６】
＜ステレオスコピック映像データの伝送方法＞
以下では、本発明によるステレオスコピック映像データの伝送方法に対する一実施形態を説明する。
【００２７】
図１は、本発明の一実施形態によるステレオスコピック映像データの伝送方法を説明するフローチャートである。図１を参照すれば、ステレオスコピック映像データの伝送方法は、ステレオスコピック静止映像に関するデータを予め設定されたファイルフォーマットで生成するステップ１０２、およびファイルフォーマットで生成されたデータを伝送するステップ１０４を含む。
【００２８】
本発明でステレオスコピック静止映像は、例えば、ＪＰＧ（Ｊｏｉｎｔ  Ｐｈｏｔｏｇｒａｐｈｉｃ  ｅｘｐｅｒｔ  Ｇｒｏｕｐ）およびＰＮＧ（Ｐｏｒｔａｂｌｅ  Ｎｅｔｗｏｒｋ  Ｇｒａｐｈｉｃｓ）のようにフレーム一枚ずつで構成される静止映像、およびＭＮＧ（Ｍｕｌｔｉｐｌｅ−Ｉｍａｇｅ  Ｎｅｔｗｏｒｋ  Ｇｒａｐｈｉｃｓ）のように１つのファイル内でアニメーション効果が可能な静止映像すべてを含む。一方、ステレオスコピック映像は、３次元で表示可能な映像を含む。
【００２９】
この時、ファイルフォーマットに対して図２を参照して説明する。図２は、本発明の一実施形態によるファイルフォーマット２００の構造図である。
【００３０】
ファイルフォーマット２００は、メディア情報部２２０とヘッダ情報部２１０を含む。メディア情報部２２０は、ステレオスコピック静止映像２２２を含み、ヘッダ情報部２１０は、ステレオスコピック静止映像２２２の再生を制御する制御情報２１２と、ステレオスコピック静止映像がステレオスコピック映像を構成する形態またはファイルの種類を指示する映像構成情報２１４を含む。映像構成情報２１４が指示するステレオスコピック静止映像の構成形態は多様な種類がありえる。一般的にステレオスコピック映像は、左映像と右映像の２つのステレオスコピック静止映像を組み合わせて構成される。ステレオスコピック静止映像の構成形態は、左右映像をどのように組み合わせるのかによって変化する。ステレオスコピック静止映像の構成形態には例えば、左右映像のフレームを交互に反復して再生するフレームシーケンシャル（Ｆｒａｍｅ  ｓｅｑｕｅｎｔｉａｌ）方式、左右映像のフィールド映像を交互に反復して再生するフィールドシーケンシャル（Ｆｉｅｌｄ  ｓｅｑｕｅｎｔｉａｌ）方式、左映像の奇数番目のラインと右映像の偶数番目のラインをライン単位でインターリービング（ｉｎｔｅｒｌｅａｖｉｎｇ）して再生する方式などがある。
【００３１】
ファイルフォーマット２００に含まれた各々の情報部および情報の位置は実施形態に応じて多様に構成可能である。例えば、図２に示されたものとは異なり、映像構成情報２１４は、制御情報２１２に含まれうる。
【００３２】
ファイルフォーマット２００は、ステレオスコピック映像が提供される形態またはファイルの種類を指示する映像タイプ情報を含むことができる。映像タイプ情報は、ステレオスコピック映像がどんな種類なのかを表す情報およびファイルフォーマットで保存されたステレオスコピック映像のタイプを区分するのに使用される。例えば単純なステレオスコピック静止映像サービス、ビデオ／オーディオ連動型ステレオスコピック静止映像サービスなどとなることができる。「ビデオ／オーディオ連動型ステレオスコピック静止映像サービス」は、ステレオスコピック静止映像を利用して多様な場面が表現されるステレオスコピック映像を提供するサービスを総称する。ビデオ／オーディオ連動型ステレオスコピック静止映像サービスは、ステレオスコピック静止映像をビデオまたはオーディオに連動することによって多様な場面を表現することができる。また、ステレオスコピック静止映像サービスは、連動されるビデオまたはオーディオなく単純にステレオスコピック静止映像のみで構成される形態のサービスタイプを表す。
【００３３】
図３を参照してファイルフォーマットの他の可能な構造に対して説明する。図３は、本発明の他の実施形態によるファイルフォーマット３００の構造図である。
【００３４】
ファイルフォーマット３００は、ヘッダ情報部３１０とメディア情報部３２０を含む。図３に示されたように、メディア情報部３２０は、ステレオスコピック映像の１場面を構成する複数のステレオスコピック静止映像を含むことができる。複数のステレオスコピック静止映像は、２個以上のステレオスコピック静止映像になりうる。図３では、ステレオスコピック静止映像が３個の場合を示し、各々第１ステレオスコピック静止映像３２２、第２ステレオスコピック静止映像３２４、第３ステレオスコピック静止映像３２６で表わす。この場合、ヘッダ情報部３１０に含まれた映像構成情報３１２は、複数のステレオスコピック静止映像３２２、３２４、３２６がステレオスコピック映像を構成する形態を指示することができる。第１ステレオスコピック静止映像３２２、第２ステレオスコピック静止映像３２４、第３ステレオスコピック静止映像３２６が、ステレオスコピック映像を構成する形態が全く同じ場合には映像構成情報を各々に対して使用する必要がないためである。または実施形態に応じて、複数のステレオスコピック静止映像に対して映像構成情報を各々使用することもできる。
【００３５】
ヘッダ情報部３１０は、各々のステレオスコピック静止映像３２２、３２４、３２６の再生を制御する制御情報３１４、３１６、３１８を含む。この時、各制御情報３１４、３１６、３１８は、各々の制御情報３１４、３１６、３１８に対する識別情報を含むことができる。そして、ヘッダ情報部３１０は、識別情報の目録を含むことができる。識別情報の目録は、制御情報を区分するための情報として利用することができる。例えば、識別情報の目録が「ビデオ／オーディオ連動型ステレオスコピック静止映像サービス」に使用されるステレオスコピック静止映像に対する制御情報のみを含む場合、識別情報の目録を照会することによって「ビデオ／オーディオ連動型ステレオスコピック静止映像サービス」のためのステレオスコピック静止映像を区分することができる。
【００３６】
一方、ステレオスコピック映像がメイン映像と付加映像で構成される場合には、２個のステレオスコピック静止映像が１つのオブジェクトと認識されなければならない必要がある。したがって、制御情報は、ステレオスコピック静止映像がメイン映像なのかまたは付加映像なのか否かを表す参照情報を含むことができる。図３を参照すれば、第１制御情報３１４は、第１参照情報３３４を含み、第２制御情報３１６は第２参照情報３３６を含む。第１参照情報３３４と第２参照情報３３６は、各々該当するステレオスコピック静止映像、すなわち第１ステレオスコピック静止映像３２２と、第２ステレオスコピック静止映像３２４がメイン映像なのかまたは付加映像なのか否かを表す。
【００３７】
例えば、メイン映像として第１ステレオスコピック静止映像３２２が使用され、付加映像として第２ステレオスコピック静止映像３２４が使用される場合を説明する。２つのステレオスコピック静止映像３２２、２３４の結合によってステレオスコピック映像が３次元で再生することになる。この時、第１参照情報３３４は、第１ステレオスコピック静止映像３２２がメイン映像として使用されるという情報を含み、第２参照情報３３６は、第２ステレオスコピック静止映像３２４が付加映像として使用されるという情報を含む。また、第１参照情報３３４と第２参照情報３３６は、どんなステレオスコピック静止映像と連結するかを認識することができるようにお互いに対する識別情報を含むことができる。
【００３８】
一方、ステレオスコピック静止映像が「ビデオ／オーディオ連動型ステレオスコピック静止映像サービス」で活用される場合、ステレオスコピック静止映像の再生が開始する時点または終了する時点に対する時間情報が必要である。このような時間情報はヘッダ情報部に含まれることができる。
【００３９】
図３を参照し、例を挙げて説明する。第３ステレオスコピック静止映像３２６が、２次元ビデオと連動されて再生することによってステレオスコピック映像を構成する場合、第３ステレオスコピック静止映像３２６は、２次元ビデオの一部区間でのみ再生することができる。このために、時間情報３３８は、第３ステレオスコピック静止映像３２６が再生が開始する時点または終了する時点に対する情報を含む。この時、第３制御情報３１８は、時間情報３３８に応じて第３ステレオスコピック静止映像３２６の再生を制御するように構成することができる。
【００４０】
一方、ヘッダ情報部は、ステレオスコピック静止映像が３次元で表示される方式に対する情報を含むことができる。ステレオスコピック静止映像を３次元で再生するにおいて多様な３次元表示方式を使用することもできる。３次元表示方式の例として、パララックスバリア、レンチキュラー方式および偏光方式などを挙げることができる。
【００４１】
＜ステレオスコピック映像の再生方法＞
以下では本発明によるステレオスコピック映像の再生方法に対する一実施形態を説明する。
【００４２】
図４は、本発明の一実施形態によるステレオスコピック映像の再生方法を説明するフローチャートである。図４を参照すれば、ステレオスコピック映像の再生方法は、ステレオスコピック映像に関するデータを受信するステップ４０２、映像構成情報に応じてステレオスコピック映像を構成するステップ４０８、制御情報に応じてステレオスコピック映像を再生するステップ４１０を含む。
【００４３】
ステレオスコピック映像に関するデータは、メディア情報部およびヘッダ情報部を含むファイルフォーマットで生成されたものである。メディア情報部は、ステレオスコピック静止映像を含み、ヘッダ情報部は、制御情報と映像構成情報を含む。
【００４４】
実施形態に応じて、映像構成情報は制御情報に含まれることができる。
【００４５】
また、映像構成情報は、ステレオスコピック映像の１場面を構成する複数のステレオスコピック静止映像に対する映像構成情報であることができる。これは複数のステレオスコピック静止映像がステレオスコピック映像を構成する形態が同一な場合に、重複する映像構成情報を何度も使用しないためである。
【００４６】
図４に示されたように、ステレオスコピック映像の再生方法は、ステレオスコピック映像が提供される形態またはファイルの種類を指示する映像タイプ情報を確認するステップ４０４をさらに含むことができる。映像タイプ情報を確認することによって、ステレオスコピック映像を再生する方法を選択することができる効果がある。例えば、映像タイプ情報を確認するステップ４０４で、映像タイプ情報が「ビデオ／オーディオ連動型ステレオスコピック静止映像サービス」として確認された場合に、４０８ステップおよび４１０ステップが行われるように具現することができる。
【００４７】
また、図４に示されたように、ステレオスコピック映像の再生方法は、映像構成情報の有無を確認するステップ４０６をさらに含むことができる。映像タイプ情報は、ステレオスコピック映像を構成するステレオスコピック静止映像に関連した情報としてヘッダ情報部に含まれる。したがって、ステレオスコピック静止映像でないモノスコピック（ｍｏｎｏｓｃｏｐｉｃ）静止映像の場合には映像タイプ情報を含めないこともできる。したがって、この場合、映像構成情報の有無を確認４０６することによって、静止映像がステレオスコピック静止映像なのか否かを判断することができる。例えば、映像構成情報の有無を確認するステップ４０６で、映像構成情報が存在すると確認された場合に、４０８ステップおよび４１０ステップが行われるように具現することができる。
【００４８】
一方、図４に示されてはいないが、ステレオスコピック映像の再生方法は、ヘッダ情報部に含まれた識別情報目録で制御情報の識別情報を照会するステップをさらに含むことができる。識別情報目録は、一定の基準に符合する制御情報の識別情報を含む。例えば、識別情報目録は「ビデオ／オーディオ連動型ステレオスコピック静止映像サービス」に使用されるステレオスコピック静止映像に対する制御情報のみを含むことができる。この場合、識別情報を照会することによってステレオスコピック静止映像が「ビデオ／オーディオ連動型ステレオスコピック静止映像サービス」に使用されるのかを判断することができる。
【００４９】
ステレオスコピック映像を構成するステップ４０８は、ステレオスコピック静止映像がメイン映像なのか、または付加映像なのか否かを表す参照情報を確認するステップを含むことができる。ステレオスコピック映像は、メイン映像と付加映像の組み合わせで構成することができる。参照情報を確認すれば、ステレオスコピック静止映像が、メイン映像と付加映像のうち、どちら映像に該当するのかを判断することができる。
【００５０】
ステレオスコピック映像を再生するステップ４１０は、ステレオスコピック静止映像が３次元で表示される方式に対する情報を確認するステップを含むことができる。ステレオスコピック静止映像を３次元で再生するにおいて多様な３次元表示方式を使用することができるためである。
【００５１】
ステレオスコピック映像を構成するステップ４０８は、ステレオスコピック静止映像を２次元ビデオまたはオーディオに連動するステップを含むことができる。「ビデオ／オーディオ連動型ステレオスコピック静止映像サービス」は、２次元ビデオまたはオーディオにステレオスコピック静止映像を連動して再生することによって、多様な場面構成を可能にするサービスである。
【００５２】
２次元ビデオまたはオーディオに連動するステップによって、「ビデオ／オーディオ連動型ステレオスコピック静止映像サービス」を提供することができる。
【００５３】
その他ステレオスコピック映像の再生方法に対する詳細な説明は、前述したステレオスコピック映像データの伝送方法に対する説明と重複するため、ここでは省略する。
【００５４】
＜具体的な実施形態＞
以下では本発明によるステレオスコピック映像データの伝送またはステレオスコピック映像の再生に使用されるファイルフォーマットの具体的な実施形態に対し説明する。
【００５５】
本発明によるファイルフォーマットは、既存のファイルフォーマットと互換性を維持することができるように具現することができる。したがって、図５を参照して従来技術によるファイルフォーマットを先に説明する。図５は、従来技術によって２次元映像を提供するためのファイルフォーマット５００の構造図である。
【００５６】
ファイルフォーマット５００は大きくｆｔｙｐ５０２、ｍｏｏｖ５０４、ｍｄａｔ５０６の１部分で構成される。ｆｔｙｐ５０２は、ファイルフォーマット５００に保存されるファイルの種類を表す情報である。ｍｏｏｖ５０４は、ファイルフォーマット内に保存されるメディアストリーム（ｍｅｄｉａ  ｓｔｒｅａｍ）の再生のための制御情報を含む。ｍｄａｔ５０６は、メディアストリームデータを含む。
【００５７】
図５に示されたように、ｍｏｏｖ５０４にはトラック（ｔｒａｋ）ボックスが含まれる。各々のトラックボックス５１０、５１４、５１８、５２２は、メディアストリームの再生のために要求される制御情報および関連した付加情報を含む。トラックボックスはメディアストリーム毎に存在したり、メディアストリームの種類毎に存在することができる。例えば、図５は、ｍｄａｔ５０６に含まれた各々のメディアストリーム５０８、５１２、５１６、５２０毎にトラックボックス５１０、５１４、５１８、５２２が存在する。実施形態に応じて、２Ｄ  ｓｔｉｌｌ  ｉｍａｇｅ５１６、５２０は、同一の種類のメディアストリームであるため、これに対するトラックボックスは１つで構成することもできる。
【００５８】
図５を参照すれば、ｍｄａｔ５０６は、ＬＡＳｅＲ（Ｌｉｇｈｔｗｅｉｇｈｔ  Ａｐｐｌｉｃａｔｉｏｎ  ＳｃｅｎＥ  Ｒｅｐｒｅｓｅｎｔａｔｉｏｎ）５０８、２Ｄ  ｖｉｄｅｏ  ｓｔｒｅａｍ５１２、２Ｄ  ｓｔｉｌｌ  ｉｍａｇｅ５１６、２Ｄ  ｓｔｉｌｌ  ｉｍａｇｅ５２０を含む。ＬＡＳｅＲ５０８は、場面記述子（Ｓｃｅｎｅ  Ｄｅｓｃｒｉｐｔｏｒ）であって、各メディアストリームを再生するにおいて、位置および再生時間に対する情報を含む。本明細書において、ＬＡＳｅＲ５０８は、場面記述子に対する１つの実施形態であるのみであり、ＬＡＳｅＲ５０８の他に、他の規格の場面記述子を使用することもできる。
【００５９】
２Ｄ  ｖｉｄｅｏ  ｓｔｒｅａｍ５１２は、２次元ビデオに対するメディアストリームであり、２Ｄ  ｓｔｉｌｌ  ｉｍａｇｅ５１６、５２０は、各々２次元静止映像に対するメディアストリームである。
【００６０】
図５に示されたような従来のファイルフォーマット５００は、２次元映像サービスに適合するように構成されるため、多様な場面構成が可能なステレオスコピック映像サービスを提供するには限界がある。
【００６１】
図６は、本発明の一実施形態によるファイルフォーマット６００の構造図である。ファイルフォーマット６００は、ステレオスコピック映像の提供に適合するように構成される。
【００６２】
ｆｔｙｐ６０２は、ステレオスコピック映像が提供されるサービス形態に対する情報を含むことができる。ｆｔｙｐ６０２は、ステレオスコピック映像がいかなる形態で提供されるかを識別するために使用することもできる。例えば、ｆｔｙｐ６０２に含まれる情報は表１のように提供することもできる。
【表１】
2012513148.tif 000003
【００６３】
「ビデオ／オーディオ連動型ステレオスコピック静止映像サービス」はステレオスコピック静止映像がメイン映像に付加的に連動されて再生することによってステレオスコピック映像が提供される場合を表す。「ビデオ／オーディオ連動型ステレオスコピック静止映像サービス」では、ステレオスコピック静止映像を制御することによって、多様な場面が構成できる。このサービスのために場面記述子を活用することもできる。
【００６４】
「ステレオスコピック静止映像サービス」は、ビデオまたはオーディオ連動なくステレオスコピック静止映像自体のみで提供されるスライドショーのようなサービスを表す。
【００６５】
ｍｄａｔ６０６は、ステレオスコピック静止映像６１０を含み、ｍｏｏｖ６０４は、ステレオスコピック静止映像に対するトラック６１２を含む。図６に示されたように、トラック６１２は、映像構成情報であるＩｍａｇｅ＿ｃｏｍｐｏｓｉｔｉｏｎ＿ｔｙｐｅ６１４を含むことができる。実施形態に応じてＩｍａｇｅ＿ｃｏｍｐｏｓｉｔｉｏｎ＿ｔｙｐｅ６１４は、トラック６１２外部に存在し、ｍｏｏｖ６０４に含まれるように構成することもできる。また、実施形態に応じてＩｍａｇｅ＿ｃｏｍｐｏｓｉｔｉｏｎ＿ｔｙｐｅ６１４は、任意のボックスに含まれず、既に定義されたＲｅｓｅｒｖｅｄビットに記録されることもできる。
【００６６】
Ｉｍａｇｅ＿ｃｏｍｐｏｓｉｔｉｏｎ＿ｔｙｐｅ６１４は、ステレオスコピック静止映像６１０が構成される形態に対する情報であって、ステレオスコピック静止映像６１０が、いかなる形態で保存されているのかに対する情報を含むことができる。例えば、Ｉｍａｇｅ＿ｃｏｍｐｏｓｉｔｉｏｎ＿ｔｙｐｅ６１４は、表２のように提供することもできる。
【表２】
2012513148.tif 000004
【００６７】
一般的にステレオスコピック映像は、左映像と右映像の２つのステレオスコピック静止映像を組み合わせることによって構成される。この時、左映像と右映像を組み合わせる形態をＩｍａｇｅ＿ｃｏｍｐｏｓｉｔｉｏｎ＿ｔｙｐｅ６１４に記録できる。
【００６８】
「Ｓｉｄｅ−ｂｙ−ｓｉｄｅ」は、左映像と右映像を１つのステレオスコピック静止映像の左側と右側半分に各々保存する状態である。「Ｔｏｐ−ｄｏｗｎ」は、左映像と右映像を各々１つのステレオスコピック静止映像の上側と下側半分に各々保存する状態である。「Ｆｉｅｌｄ  ｓｅｑｕｅｎｔｉａｌ」は、左映像と右映像がステレオスコピック静止映像のフィールド毎に交互に反復されて保存される状態である。「Ｆｒａｍｅ  ｓｅｑｕｅｎｔｉａｌ」は、左映像と右映像がステレオスコピック静止映像のフレーム毎に交互に反復されて保存される状態である。「Ｖｅｒｔｉｃａｌ  ｌｉｎｅ  ｉｎｔｅｒｌｅａｖｅｄ」は、左映像と右映像がステレオスコピック静止映像の垂直ライン毎に交互に反復されて保存される状態である。「Ｈｏｒｉｚｏｎｔａｌ  ｌｉｎｅ  ｉｎｔｅｒｌｅａｖｅｄ」は、左映像と右映像がステレオスコピック静止映像の水平ライン毎に交互に反復されて保存される状態である。「Ｌｅｆｔ−ｒｉｇｈｔ  ｖｉｅｗ」は、左映像と右映像が各々互いに異なるステレオスコピック静止映像として保存される状態である。
【００６９】
ここで、「Ｓｉｄｅ−ｂｙ−ｓｉｄｅ」、「Ｔｏｐ−ｄｏｗｎ」、「Ｆｉｅｌｄ  ｓｅｑｕｅｎｔｉａｌ」、「Ｆｒａｍｅ  ｓｅｑｕｅｎｔｉａｌ」、「Ｖｅｒｔｉｃａｌ  ｌｉｎｅ  ｉｎｔｅｒｌｅａｖｅｄ」、および「Ｈｏｒｉｚｏｎｔａｌ  ｌｉｎｅ  ｉｎｔｅｒｌｅａｖｅｄ」タイプは、ステレオスコピック静止映像を再生するにおいて、１個の符号化ストリームおよび１個のトラックを有するようになる。このように１つのオブジェクトを表現するステレオスコピック静止映像に対して、１つの符号化ストリームおよび１つのトラックで構成されるサービスの場合、該当トラックは映像構成情報を含むことができる。
【００７０】
一方、「Ｌｅｆｔ−ｒｉｇｈｔ  ｖｉｅｗ」タイプは、ステレオスコピック静止映像を再生するにおいて、各々左映像と右映像で構成された２個の符号化ストリームおよび２個のトラックを有するようになる。このように１つのオブジェクトを表現するステレオスコピック静止映像に対して、１つの符号化ストリームおよび１つのトラックで構成されないサービスの場合、映像構成情報はすべてのトラックに含まれないことがある。例えば、２次元ビデオストリームのメイン映像にステレオスコピック静止映像が付加映像として組み合わされてステレオスコピック映像を構成する場合、ステレオスコピック静止映像に対するトラックにのみ映像構成情報を含むこともできる。
【００７１】
「ビデオ／オーディオ連動型ステレオスコピック静止映像サービス」の場合、複数のステレオスコピック静止映像がステレオスコピック映像の一場面を構成することができる。例えば、２次元ビデオをメイン映像として、複数のステレオスコピック静止映像がメイン映像に付加映像として連動されて再生される場合である。この時、複数のステレオスコピック静止映像は、互いに異なるオブジェクトを各々３次元で再生することができる。
【００７２】
このようにファイルフォーマットに複数のステレオスコピック静止映像を含みつつ、複数のステレオスコピック静止映像が同一の映像構成情報を有する場合には、映像構成情報が各々のトラックに存在せず、トラックの上位レベルに含まれることもできる。
【００７３】
図７を参照して説明する。図７は、本発明の一実施形態によるファイルフォーマット７００の構造図である。ファイルフォーマット７００は、複数のステレオスコピック静止映像７１０、７１４、７１８と各々に対するトラック７１２、７１６、７２０を含む。
【００７４】
複数のステレオスコピック静止映像７１０、７１４、７１８に同一の映像構成情報が適用される場合、映像構成情報は重複を減らすために１つのみ使用することもできる。図７に示されたように、映像構成情報のＩｍａｇｅ＿ｃｏｍｐｏｓｉｔｉｏｎ＿ｔｙｐｅ７３０は、各々のステレオスコピック静止映像トラック７１２、７１６、７２０に含まず、その上位レベルに含まれることもある。
【００７５】
複数のステレオスコピック静止映像７１０、７１４、７１８に互いに異なる映像構成情報が適用される場合には、該当する映像構成情報が各々のステレオスコピック静止映像トラック７１２、７１６、７２０毎に含まれることもある。
【００７６】
また、２Ｄビデオの特定場面にステレオスコピック静止映像とモノスコピック静止映像が共に存在する場合がある。例えば、天気予報が入った２次元ビデオに２次元字幕として表現されたお天気情報がモノスコピック静止映像の再生と同時に、天気を表現する３次元アイコンがステレオスコピック静止映像として再生される場合である。この時、ヘッダ情報部に含まれた各トラックが指称するストリームがモノスコピック静止映像ストリームなのか、そうででなければステレオスコピック静止映像ストリームなのかを区分する必要がある。このような区分方法として２種類の方法を考慮することができる。
【００７７】
最初に、トラックに映像構成情報が含まれたのかどうか確認することによって区分する方法がある。例えば、映像構成情報が含まれたトラックに該当するストリームは、ステレオスコピック静止映像ストリームとして判断し、そうではないストリームは、モノスコピック静止映像ストリームとして判断するものである。
【００７８】
二番目に、ステレオスコピック静止映像に対するトラックのＩＤ（ｔｒａｃｋ＿ＩＤ）を集めてグループＩＤ（Ｇｒｏｕｐ＿ＩＤ）を生成し、グループＩＤを照会することによって区分する方法がある。例えば、グループＩＤに含まれたトラックＩＤに対するストリームは、ステレオスコピック静止映像ストリームとして判断し、そうではないストリームは、モノスコピック静止映像ストリームとして判断するものである。
【００７９】
複数のステレオスコピック静止映像が再生される時、１つのオブジェクトとして認識されなければならない場合がある。例えば、映像構成情報が「Ｌｅｆｔ−ｒｉｇｈｔ  ｖｉｅｗ」である場合、左映像と右映像に該当する２個のステレオスコピック静止映像ストリームが１つのオブジェクトとして認識されなければならない。この場合、ステレオスコピック静止映像に対する複数のトラックは、物理的に何個かで構成されるが、あたかも１つのトラックのように認識されるべきである。複数のトラックが１つのトラックのように認識されると、複数のステレオスコピック静止映像が１つのステレオスコピック映像として構成されて再生される。したがって、複数のステレオスコピック静止映像が１つのオブジェクトとして認識されることもある。
【００８０】
図８を参照して、複数のステレオスコピック静止映像が１つのオブジェクトと認識される場合に対して説明する。図８は本発明の一実施形態によるファイルフォーマット８００の構造図である。
【００８１】
ファイルフォーマット８００のｍｄａｔ８０６は、複数のステレオスコピック静止映像８１０、８１４を含む。ステレオスコピック静止映像８１０、８１４は、同一のオブジェクトを表現するための互いに異なる時点の静止映像である。ｍｏｏｖ８０４は、各々のステレオスコピック静止映像８１０、８１４に対するトラック８１２、８１６を含む。
【００８２】
ｉｍａｇｅ＿ｃｏｍｐｏｓｉｔｉｏｎ＿ｔｙｐｅ８２０は、トラック８１２とトラック８１６に共通に適用される。図８に示されたように、ｉｍａｇｅ＿ｃｏｍｐｏｓｉｔｉｏｎ＿ｔｙｐｅ８２０は、重複性を減らすためにトラック８１２にのみ含まれる。
【００８３】
一方、トラック８１２とトラック８１６が互いに１つのトラックのように認識されるようにするために、ｔｒｅｆ８２２とｔｒｅｆ８２４に参照情報が含まれる。参照情報は、ｔｒｅｆ８２２、８２４に含まれるｒｅｆｅｒｅｎｃｅ＿ｔｙｐｅ情報に「ｓｂａｓ（ｓｔｅｒｅｏｓｃｏｐｉｃ  ｃｏｎｔｅｎｔ  ｂａｓｅ）」または「ｓｃｄｐ（ｓｔｅｒｅｏｓｃｏｐｉｃ  ｃｏｎｔｅｎｔ  ｄｅｐｅｎｄｅｎｃｙ）」として記録されることもできる。この時「ｓｂａｓ」は、「ｓｂａｓ」が含まれたトラックに対するステレオスコピック静止映像がステレオスコピック映像を構成するにおいてメイン映像として使用されることを意味する。「ｓｃｄｐ」は、「ｓｃｄｐ」が含まれたトラックに対するステレオスコピック静止映像がステレオスコピック映像を構成するにおいて付加映像として使用されることを意味する。
【００８４】
図８において、トラック８１２は、ｔｒｅｆ８２２にｒｅｆｅｒｅｎｃｅ＿ｔｙｐｅ＝’ｓｂａｓ’を含み、トラック８１６は、ｔｒｅｆ８２８にｒｅｆｅｒｅｎｃｅ＿ｔｙｐｅ＝’ｓｃｄｐ’を含む。したがって、ステレオスコピック静止映像８１０は、メイン映像として使用され、ステレオスコピック静止映像８１４は、付加映像として使用される。
【００８５】
この時、ステレオスコピック静止映像８１０とステレオスコピック静止映像８１４の連結を確認することができるように、トラックＩＤ（Ｔｒａｃｋ＿ＩＤ）を使用することができる。ｔｒａｃｋ＿ＩＤは、各トラックの固有識別情報である。図８において、トラック８１２のｔｒａｃｋ＿ＩＤ（８２６）は、１であり、トラック８１６のｔｒａｃｋ＿ＩＤ８２８は、２である。トラック８１６は、ｔｒｅｆ８２４のｔｒａｃｋ＿ＩＤ情報によってトラック８１２と連結することができる。一方、前述したグループＩＤでステレオスコピック静止映像を識別する場合、メイン映像に対するトラックのＩＤのみグループＩＤに含まれるように具現されることができる。
【００８６】
図９および図１０は、本発明の一実施形態によるステレオスコピック映像の再生を説明する図である。
【００８７】
「ビデオ／オーディオ連動型ステレオスコピック静止映像サービス」の場合、図９および図１０に各々示された形態のサービスを提供することができる。図９および図１０において、Ｔは、映像が再生する時間を表し、Ｓは、各々ステレオスコピック静止映像を表す。
【００８８】
図９に図示されたサービスの場合、２Ｄビデオ９１０が再生される時間全体に対してステレオスコピック静止映像９１２が連動され、ステレオスコピック映像を構成する。一方、図１０に図示されたサービスの場合、２Ｄビデオ９２０の一部区間に対してのみステレオスコピック静止映像９２２が連動され、ステレオスコピック映像を構成する。この場合、残り区間では２Ｄビデオ９２０のみ再生されるため、この区間では２次元映像が再生される。
【００８９】
図１０のようなサービスのために、ステレオスコピック静止映像９２２が開始され終了する時点に対する時間情報が要求される。例えば、ステレオスコピック映像を再生する端末は、２次元映像が再生する時には２次元表示モードを使用しなければならず、ステレオスコピック映像が再生される時には３次元表示モードを使用しなければならないため、端末は、時間情報を活用して表示モードを変更することができる。
【００９０】
図１１を参照して、時間情報が含まれたファイルフォーマットに対して説明する。図１１は、本発明の一実施形態によるファイルフォーマット１０００の構造図である。
【００９１】
図１１に示されたように、ファイルフォーマット１０００は、２Ｄ  ｖｉｄｅｏトラックに時間情報１０２０を含むことができる。時間情報１０２０は、ステレオスコピック静止映像１０１０、１０１４が開始したり終了する時点に対するものであって、本実施形態ではＳｔｅｒｅｏｓｃｏｐｉｃ＿Ｓｃｅｎｅ＿Ｔｉｍｅ＿＿ｉｎｆｏｒｍａｔｉｏｎ１０２０として表現される。時間情報１０２０は、実施形態に応じて多様な位置に含まれるように構成することもできる。例えば、時間情報１０２０は、ｍｏｏｖ１００４内部に含まれ、ステレオスコピック静止映像に対するトラック１０１２、１０１６の外部に含むこともできる。
【００９２】
Ｓｔｅｒｅｏｓｃｏｐｉｃ＿Ｓｃｅｎｅ＿Ｔｉｍｅ＿ｉｎｆｏｒｍａｔｉｏｎ１０２０は、時間情報に対する１つの実施形態であって、表３のように構成することもできる。
【表３】
2012513148.tif 000005
【００９３】
ｓｔｅｒｅｏ＿ｓｃｅｎｅ＿ｔｉｍｅ＿ｃｏｕｎｔは、再生時間の間のステレオスコピック区間の数を表す。ｓｔａｒｔ＿ｔｉｍｅは、ステレオスコピック静止映像１０１０、１０１４に対する開始時間を表す。ｄｕｒａｔｉｏｎは、ステレオスコピック静止映像１０１０、１０１４の開始から終了までの区間の時間を表す。
【００９４】
一方、ステレオスコピック静止映像を効果的に３次元再生するために３次元表示情報が必要なこともある。表４は、３次元表示情報に対する一実施形態を表す。３次元表示情報は、別途のボックスにおいて、ファイルフォーマットのヘッダ情報部に含むこともできる。
【表４】
2012513148.tif 000006
【００９５】
前述したような本発明の方法は、プログラムで具現され、コンピュータで読み出し可能な形態で記録媒体（ＣＤＲＯＭ、ＲＡＭ、ＲＯＭ、フロッピーディスク、ハードディスク、光磁気ディスクなど）に保存することもできる。このような過程は本発明が属する技術分野で通常の知識を有する者が容易に実施することができるのでこれ以上詳細に説明しない。
【００９６】
以上で説明した本発明は、本発明が属する技術分野で通常の知識を有する者にあって、本発明の技術的思想を外れない範囲内で種々の置換、変形および変更が可能なため、前述した実施形態および添付された図面によって限定されるものではない。
【図１】
2012513148.tif 000007
【図２】
2012513148.tif 000008
【図３】
2012513148.tif 000009
【図４】
2012513148.tif 000010
【図５】
2012513148.tif 000011
【図６】
2012513148.tif 000012
【図７】
2012513148.tif 000013
【図８】
2012513148.tif 000014
【図９】
2012513148.tif 000015
【図１０】
2012513148.tif 000016
【図１１】
2012513148.tif 000017
【国際調査報告】
2012513148.tif 000018
2012513148.tif 000019